(57)【特許請求の範囲】
【請求項１】
分割されたパネル片を係わり合わせることによってフロアパネルを構成するパネル片において、前記分割されたパネル片を係わり合わせた状態で床面と垂直な方向へのパネル片相互の離脱を規制するとともに、床面と水平な方向への変位を許容する連結手段を設け、
互いに隣接するパネル片の接触面に、互いに関わり合わされることによって連結手段を構成する凸部と凹部とを設け、前記凸部が、側面部の中心位置からリブとともに突出させてなるとともにその下面側に先端側の肉厚を狭くした略三角形状のフック部を設けてなり、前記凹部が、側面部の両側から向かい合うように延び凸部の下方への離脱を規制する下方規制部と、上面部から下向きに延び凸部の上方への離脱を規制する上方規制部とによって囲まれた形状に構成され、前記凸部とともに突出するリブの巾方向位置が全て前記下方規制部の延出端よりも中央寄りであるとともに、前記凸部のフック部を下方規制部に係わり合わせるようにし、前記上方規制部の巾寸法を凹部の巾寸法よりも小さくしていることを特徴とするパネル片。
【請求項２】
隣接方向にスライドさせることによって分割されたパネル片を係わり合わせるパネル片において、前記分割されたパネル片を係わり合わせた状態で床面と垂直な方向へのパネル片相互の離脱を規制するとともに、床面と水平な方向への変位を許容する連結手段を設け、
互いに隣接するパネル片の接触面に、互いに関わり合わされることによって連結手段を構成する凸部と凹部とを設け、前記凸部が、側面部の中心位置からリブとともに突出させてなるとともにその下面側に先端側の肉厚を狭くした略三角形状のフック部を設けてなり、前記凹部が、側面部の両側から向かい合うように延び凸部の下方への離脱を規制する下方規制部と、上面部から下向きに延び凸部の上方への離脱を規制する上方規制部とによって囲まれた形状に構成され、前記凸部とともに突出するリブの巾方向位置が全て前記下方規制部の延出端よりも中央寄りであるとともに、前記凸部のフック部を下方規制部に係わり合わせるようにし、前記上方規制部の巾寸法を凹部の巾寸法よりも小さくしていることを特徴とするパネル片。
【請求項３】
前記連結手段が、隣接するパネル片を回転可能に連結する手段であることを特徴とする請求項１または２に記載のパネル片。
【請求項４】
前記水平方向が、床面と平行な面における前後左右方向であることを特徴とする請求項１、２または３に記載のパネル片。
【請求項５】
前記パネル片を再生材で構成したことを特徴とする請求項１、２、３または４に記載のパネル片。
【発明の詳細な説明】
【０００１】
【発明の属する技術分野】
本発明は、床面に敷設されるフロアパネルのパネル片に関するものである。
【０００２】
【従来の技術】
近年、ＯＡ機器などを取り扱うようなオフィスでは、そのＯＡ機器の配線類を床下に収納できるようにフロアパネルを敷き詰めるようにしている。ところで、このフロアパネルは、複数のパネル片を薄肉または紐状部分で連結した形状に一体成形しており、この連結部分を床面の不陸に対応させてパネル片の上面を滑らかに変化させるようにしたものが一般的である。
【０００３】
【発明が解決しようとする課題】
しかし、このように複数のパネル片を一体成形するような構成では、その複数のパネル片の大きさに相当する成形機が必要になりコストも高くつく。また、薄肉または紐状に連結したような構成では、連結部分における成形時の樹脂流動性確保のために高度な品質要求がなされ、例えば、物性の安定しない再生ペットなどの材料を用いた場合は成形不良や薄肉部分が破損するなどの不具合を生じることとなっていた。
【０００４】
一方、この問題を解決するために、各パネル片を分割して設置現場でパネル片を連結させるようにすることも考えられる。しかし、このような構成では、床面の不陸に基づいて連結部分が離脱することがあり、その部分に大きな段差を生じやすい。また、各パネル片の誤差によって組み立て時における全体寸法が大きく変化してしまう可能性もある。
【０００５】
そこで、本発明は上記問題に着目し、パネル片を分割したものにおいて各パネル片の間に大きな段差を生じさせないようにするとともに、組み立て時における全体寸法を調整できるようなパネル片を提供することを目的とするものである。
【０００６】
【課題を解決するための手段】
すなわち、本発明のパネル片は上記課題を解決するために、床面と垂直な方向におけるパネル片の離脱を規制し、また、隣接するパネル片を係わり合わせた状態で水平方向への変位を許容する連結手段を設け、互いに隣接するパネル片の接触面に、互いに関わり合わされることによって連結手段を構成する凸部と凹部とを設け、前記凸部が、側面部の中心位置からリブとともに突出させてなるとともにその下面側に先端側の肉厚を狭くした略三角形状のフック部を設けてなり、前記凹部が、側面部の両側から向かい合うように延び凸部の下方への離脱を規制する下方規制部と、上面部から下向きに延び凸部の上方への離脱を規制する上方規制部とによって囲まれた形状に構成され、前記凸部とともに突出するリブの巾方向位置が全て前記下方規制部の延出端よりも中央寄りであるとともに、前記凸部のフック部を下方規制部に係わり合わせるようにし、前記上方規制部の巾寸法を凹部の巾寸法よりも小さくしている。このように構成することによって、小さな成形機でパネル片を成形でき、また、連結部分における大きな段差を防止することができるばかりでなく、各パネル片間の水平方向への変位を調整して最終組立寸法に適合させることができる。更に、このように分割されたパネル片を連結するように構成することで、従来のような薄肉または紐状の連結を行なう必要がなくなり、物性の安定しない再生材などを用いることもできる。
【０００７】
また、このようにパネル片を係わり合わせる際、床面と水平な方向にパネル片をスライドさせることによって各パネル片を係わり合わせるようにする。これによって、床面にパネル片を敷き詰めた状態から各パネル片を水平方向にスライドさせるだけで簡単に連結させるようにする。この場合、前後方向および左右方向に各パネル片の変位を許容するように構成し、フロアパネル全体の二次元的な寸法調整を行なえるようにする。
【０００８】
更に、このような連結部分を中心として、それぞれのパネル片を傾けうるように回転を許容する。このように構成することによって、床面の不陸に対応してパネル片を連続的に傾斜させ、フロアパネルの上面部分を滑らかにすることができる。
【０００９】
【発明の実施の形態】
以下、本発明の一実施形態を、図面を参照して説明する。図１は、３種類のパネル片Ａ、Ｂ、Ｃを連結させて設けたフロアパネルＦＰの１ブロックを示したものであり、図２から図５は、これら３種類のパネル片Ａ、Ｂ、Ｃの平面図、断面図、側面図などをそれぞれ示したものである。フロアパネルＦＰは、オフィスの床面上に配線スペースを設けられるようにしたものであり、この配線スペースにＯＡ機器のケーブルを収納するとともに、このフロアパネルＦＰの上部に図示しないカーペーットなどを設けて床部を構成するようにしたものである。以下、このようなフロアパネルＦＰを構成する３種類のパネル片Ａ、Ｂ、ＣおよびフロアパネルＦＰの組み立て方法について説明する。
（１）角部に設けられるパネル片
図２は、フロアパネルＦＰの１ブロックにおける四隅部分に設けられるパネル片Ａの平面図（ａ）、そのＩ−Ｉ断面図（ｂ）、Ｘ方向からの側面図（ｃ）を示したものである。この角部のパネル片Ａは、再生ペットなどの合成樹脂を一体成形して構成したものである。このパネル片Ａは、その表面にフロアカーペットなどを設けるための上面部１と、この上面部１の端辺を囲むように設けた側面部２と、この側面部２から連続してその角部に設けた脚部３ａ、３ｂを具備してなる。
【００１０】
上面部１は、その上表面を床面と略平行に設けたものであり、複数のリブ１１によって垂直方向の荷重を支えるようにするとともに、このリブ１１に囲まれた部分に三角形状の開口部１２を設けて軽量化を図るようにしたものである。この上面部１は、上面部１から連続して成形された４本の脚部３ａ、３ｂによって支えられ、また、この脚部３ａ、３ｂによって床面から浮いた状態に保持されている。
【００１１】
脚部３は、１ブロックの角部に設けられる切欠部を有する切欠脚部３ａと、角部を直角にした角形脚部３ｂとを設け、それぞれの脚部３ａ、３ｂを側面部２とともに上面部１側に向けて若干幅広となるように傾斜させて床面の傾斜変化に対応させるようにしたものである。また、この角形脚部３ｂ間に跨って設けられている側面部２は、隣接するパネル片Ｂとの接触面を形成しており、一方、切欠脚部３ａと角形脚部３ｂとの間に設けられている側面部２は、ブロック間の図示しない溝部を構成するようにしている。
【００１２】
この接触面を形成する側面部２には、互いに係わり合わされることによって連結手段を構成する凸部２０と凹部２１を設けている。凸部２０は、再生ペットを使用しても安定する程度の厚みを設けて側面部２の中心位置から複数のリブとともに突出させたものであり、その上面側２０ａを平面状に構成し、下面側２０ｂに先端側の肉厚を狭くした略三角形状のフック部２０ｃを設けたものである。一方、凹部２１は、これに対応する凸部２０を水平方向に挿入させてフック部２０ｃを係わり合わせるようにしたものであり、この凸部２０の上下厚み幅および左右幅に対応した形状に構成したものである。
【００１３】
すなわち、この凹部２１は、側面部２の両側から向かい合うように延びる下方規制部２２と、上面部１側から下向き略Ｌ字状に延びる上方規制部２３とによって囲まれた形状に構成されており、この下方規制部２２によって、係わり合わされた凸部２０の下方への離脱を規制し、上方規制部２３によってその凸部２０の上方への離脱を規制するようにしている。なお、この上方規制部２３には、上面部１からの荷重の作用に耐えられるように適宜複数のリブを設けている。
【００１４】
この下方規制部２２と上方規制部２３との隙間Ｗ１は、凸部２０における基部の上下厚み幅Ｗ２より若干大きく設定されており、これによってフック部２０ｃを差し込みを可能にするとともに、係わり合わされた状態でパネル片Ａ、Ｂ間のしなり回転を許容して互いに傾斜させうるようにしている。
【００１５】
具体的に、凸部２０を差し込んだ状態における上下余剰幅（Ｗ１−Ｗ２）は、フロアカーペットによってこの余剰幅に基づく段差を吸収できる程度に設定されており、更に、図３の破線部に示すように、係わり合わされた隣接パネル片Ｂの傾きをこの余剰幅によって許容できるようにしている。また、この凹部２１の左右内壁間寸法Ｌ１は、凸部２０の左右幅寸法Ｌ２より大きく設定されており、凸部２０を係わり合わせて左右方向に変位させた場合であっても、その凸部２０の端部が下方規制部２２から離脱しないようにしている。また、この下方規制部２２の肉厚幅Ｌ３は、フック部２０ｃの内側面から基部までの距離Ｌ４よりも小さく設定されており、これによってフック部２０ｃを凹部２１内側に係わり合わせた状態で奥行き方向に変位できるようにしている。
【００１６】
なお、これらの変位量は次のように設定するのが好ましい。すなわち、図１に示すように縦４枚、横４枚のパネル片Ａ、Ｂ、Ｃを組み合わせたフロアパネルＦＰの１ブロックにおける一辺最大寸法の誤差を１．０ｍｍとし、また、各パネル片Ａ、Ｂ、Ｃの縦横最大寸法の誤差を０．４ｍｍに設定したとする。この場合、４枚のパネル片の誤差によって１ブロックにつき最大で１．６ｍｍの誤差を生じ、この誤差を全体誤差である１．０ｍｍに収めるためには、各連結部分で０．６ｍｍの誤差を吸収する必要がある。従って、３箇所の境界部分で０．６ｍｍの誤差、すなわち、各境界部分で０．２ｍｍの誤差を吸収するように凸部２０の先端方向に０．２ｍｍの変位を許容し、また、凸部２０の基部方向に０．２ｍｍの変位を許容するように凹部２１の奥行および凸部２０の長さ、フック部２０ｃの寸法を設定する。また、このような誤差に設定されている場合、凹部２１の左右方向の寸法Ｌ１に関しても、凸部２０の左右幅寸法Ｌ２よりも両側にそれぞれ約０．２ｍｍ大きく設定し、これによって、直交する連結部分の誤差０．２ｍｍを調整する際に、これに追随して０．２ｍｍの変位を許容するようにしている。
（２）側辺に設けられるパネル片Ｂ
図４は、フロアパネルＦＰの１ブロックにおける側辺に設けられるパネル片Ｂの平面図（ａ）、ＩＩ−ＩＩ断面図（ｂ）、Ｙ方向の側面図（ｃ）を示したものである。このパネル片は、図２に示す角部のパネル片Ａと、図５に示すような内部に設けられるパネル片Ｃを係わり合わせるようにしたものであり、再生ペットなどの合成樹脂によって一体成形したものである。このパネル片Ｂも同様に、表面にフロアカーペットなどを設けるための上面部１と、この上面部１を囲むように設けた側面部２と、この側面部２の角部に設けた角形脚部３ｂとを具備してなるものである。
【００１７】
この上面部１は、角部に設けられるパネル片Ａと同様に、表面部分を床面と略平行に設け、また、複数のリブ１１の間に三角形状の開口部１２を複数設けてパネル片Ｂの軽量化を図るようにしている。なお、この上面部１は、平面視略正方形状に設けられており、この角部分に４本の角形脚部３ｂを設けている。
【００１８】
この脚部３ｂも同様に、床面の不陸に対応し得るように上側を若干幅広となるように傾斜させており、この角形脚部３ｂの間に形成される側面部２のうち、三つの側面部２を接触面とし、残る１つの側面部２をブロック間の溝部を構成する側面としている。
【００１９】
この溝部を構成する側面と時計回り方向に隣接する側面部２には、前述と同じ構成および寸法を有する凸部２０が設けられており、また、この側面部２を除く側面部２にも前述と同じ構成および寸法を有する凹部２１を設けている。
（３）内部に設けられるパネル片Ｃ
図５は、フロアパネルＦＰの１ブロックにおける側辺および角部を除く内部側に設けられるパネル片Ｃの平面図（ａ）、ＩＩＩ−ＩＩＩ断面図（ｂ）、Ｚ方向の側面図（ｃ）を示したものである。この内部に設けられるパネル片Ｃも同様に、再生ペットなどの合成樹脂によって一体成形されており、表面にフロアカーペットなどを設けるための上面部１と、この上面部１を囲む側面部２と、この側面部２の角部に設けた各形脚部３ｂとを具備してなる。
【００２０】
このパネル片Ｃも、パネル片Ａと同様に四隅の脚部を角形に構成しており、この角形脚部３ｂの間に跨る側面部２に凸部２０と凹部２１とを設けている。この凸部２０は、三つの側面に設けられており、また、残る側面部２に凹部２１を設けるようにして、図４に示すパネル片Ｂおよび同種のパネル片Ｃを係わり合わせるようにしている。なお、この凸部２０および凹部２１の構成については、パネル片Ａ、Ｂの凸部２０および凹部２１と同じく構成されており、また寸法についても同一に設定されている。
（４）組み立て方法
次に、各パネル片Ａ、Ｂ、Ｃを連結させてフロアパネルＦＰの１ブロックを組み立てる場合について説明する。
【００２１】
まず、角部に設けられるパネル片Ａの切欠脚部３ａを１ブロックの角部に位置させて床面上に配置し、また、この角部の間に跨って設けられる側辺のパネル片Ｂを配置する。そして、このように並べられた角部と側辺のパネル片Ａ、Ｂを床面上で水平方向にスライドさせて各パネル片Ａ、Ｂの凹部２１と凸部２０を係わり合わせ、左右２列のパネル片列を設ける。また、この連結されたパネル片の列に隣接するパネル片の列も構成すべく、まず、側辺に設けられるパネル片Ｂを対称形に配置するとともに、その間に設けられるパネル片Ｃを配置して、それぞれ床面上で水平方向にスライドさせて係わり合わせる。そして、このように設けられたパネル片列を水平方向にスライドさせて縦４個、横４個のフロアパネルＦＰの１ブロックを構成する。
【００２２】
そして、このように構成された１ブロックの寸法を規定の誤差寸法内に収めるべく、各パネル片Ａ、Ｂ、Ｃを係わり合わせた状態で凹部２１と凸部２０を前後左右方向に二次元的に変位させる。そして、他のブロックについても同様に組み立て、所定の配線空間を確保してフロアパネルＦＰを構成する。
【００２３】
このように本実施の形態によれば、各パネル片Ａ、Ｂ、Ｃの連結部分における垂直方向への離脱を上方規制部２３および下方規制部２２によって規制するとともに、隣接するパネル片Ａ、Ｂ、Ｃを係わり合わせた状態で前後左右の水平方向へ変位させるようにしたので、連結部分における大きな段差をなくすことができ、また、フロアパネルＦＰの二次元的な寸法誤差に対応させることができる。また、このように前後左右方向への変位を許容することによって、熱によるパネル片Ａ、Ｂ、Ｃの伸縮にも対応させることもできる。
【００２４】
また、パネル片Ａ、Ｂ、Ｃを係わり合わせる際、床面と水平な方向にスライドさせることによって各パネル片Ａ、Ｂ、Ｃを係わり合わせるようにしたので、パネル片Ａ、Ｂ、Ｃを床面に敷き詰めた状態から各パネル片Ａ、Ｂ、Ｃをスライドさせるだけて容易に連結させることができるようになる。
【００２５】
更に、上方規制部２３と下方規制部２２との隙間幅を凸部２０の厚み幅より若干大きく設けたので、この連結部分を中心として互いのパネル片Ａ、Ｂ、Ｃを傾斜させるように回転させて床面の不陸に対応させることができるようになる。
【００２６】
加えて、厚みを有する凸部２０などでパネル片Ａ、Ｂ、Ｃを連結するようにしたので再生ペット材などを使用することができ、環境問題にも対応することができるようになる。
【００２７】
なお、本発明は上記実施の形態に限定されることなく、種々変更することができる。例えば、上記実施の形態では、オフィスの床に敷設されるパネル片Ａ、Ｂ、Ｃを例にあげて説明したが、これに限らず、家庭用のフロアに敷設されるものにも適用することができる。
【００２８】
【発明の効果】
本発明は、以上説明したような形態で実施され、以下に記載されるような効果を奏する。
【００２９】
すなわち、本発明では、床面と垂直な方向におけるパネル片の変位を規制し、また、隣接するパネル片を係わり合わせた状態で水平方向への変位を許容するようにしたので、連結部分における大きな段差を防止することができ、また、各パネル片間の水平方向への変位を調整して最終組立寸法に適合させることができる。更に、このように分割されたパネル片を連結することによって、従来のような薄肉による連結を行なう必要がなく、物性の安定しない再生材などを使用することもできる。
【００３０】
また、このようにパネル片を係わり合わせる際、水平方向にパネル片をスライドさせることによって各パネル片を係わり合わせるようにしたので、床面にパネル片を敷き詰めた状態で簡単に各パネル片を連結させることができる。また、この場合、前後方向および左右方向に各パネル片の変位を許容するように構成することによって、フロアパネル全体の二次元的な寸法調整を行なうことができる。
【００３１】
更に、このような連結部分を中心として、それぞれのパネル片を傾けうるように回転を許容する。このように構成することによって、床面の不陸に対応してパネル片を連続的に傾斜させ、フロアパネルの上面部分を滑らかにすることができる。
【図面の簡単な説明】
【図１】本発明の一実施の形態を示すフロアパネルの１ブロックを示す平面図。
【図２】同形態におけるフロアパネルの角部に設けられるパネル片を示す図。
【図３】同形態における連結部分の拡大図。
【図４】同形態におけるフロアパネルの側辺部に設けられるパネル片を示す図。
【図５】同形態におけるフロアパネルの内部に設けられるパネル片を示す図。
【符号の説明】
Ａ、Ｂ、Ｃ・・・パネル片
ＦＰ・・・フロアパネル
２０・・・連結手段（凸部）
２０ｃ・・・フック部
２１・・・連結手段（凹部）
２２・・・下方規制部
２３・・・上方規制部
【図１】
0004544773.tif 000002
【図２】
0004544773.tif 000003
【図３】
0004544773.tif 000004
【図４】
0004544773.tif 000005
【図５】
0004544773.tif 000006